(57)【要約】      （修正有）【課題】和服帯として、美しいフォルムの太鼓結びを誰もが簡単に結ぶことができ、シンプルで安価に加工が可能で、容易に和服姿と  なり、後始末も容易な和服用帯を提供する。【解決手段】太鼓結びから手先までを折り畳みと糸止めすることにより、パイル面ファスナーと鈎面ファスナーを使用することにより帯地を切断することなく、太鼓の底辺ラインの折り返し位置を胴部本体より適度に下げて形成することで、窮屈感を軽減し華やかさを演出するものであり、柔らかい自然な形で簡易帯とした。【選択図】図２
0003156270.tif 000002
【実用新案登録請求の範囲】
【請求項１】
帯の太鼓裏側となる帯本体を、所定二か所の位置を折り畳んで、それを糸止めすることで、帯自体を切断することなく太鼓帯状態を形成し、帯の胴部の二ヶ所にパイル面ファスナーと、鈎面ファスナーを縫合し、系止自在に対応できることを特徴とする簡易帯。
【請求項２】
上記１項の、太鼓の底辺ラインの折り返し位置を、胴部本体より２ｃｍ下げて形成することにより、帯枕の装着による窮屈感を軽減させたことを特徴とする簡易帯。
【請求項３】
請求項１に記載の縫合した鈎面ファスナーに、着脱自在の引っ掛かり防止カバー布を設けたことで、帯の装飾糸への引っ掛かりを防止することを特徴とする請求項１又は２に記載の簡易帯。
【考案の詳細な説明】
【技術分野】
【０００１】
本考案は、帯地を簡単に着脱するための、和服の帯に関するもので、詳しくは誰でも  簡単、容易に着脱ができる帯を提供するものである。
【背景技術】
【０００２】
従来の簡易着装帯は、文化帯と云われる方法があり、帯をいくつかのピースに分けて、帯型を作り、紐と金具で装着する方法であったが、従来の技術では不十分である。
【先行技術文献】
【特許文献】
【０００３】
【特許文献１】特許公開２００３−２０１６１１号公報
【特許文献２】登録実用新案第３０７９３８２号公報
【特許文献３】特許公開２００９−１２７１４５号公報
【考案の概要】
【考案が解決しようとする課題】
【０００４】
従来からの技術では帯地の胴巻き部と太鼓部は分離切断しなければならず、更に紐や  道具を使うことにより、発生する傷や窮屈感は否めないことが課題である。
【課題を解決するための手段】
【０００５】
本考案は、帯の太鼓裏側に所定二か所の位置を折り畳んで、それを糸止めすることで、帯自体を切断することもなく、美麗な太鼓結び状態を形成し、太鼓の底辺の位置を胴部の下部ラインより、２ｃｍ下げることにより、枕の装着による窮屈感を軽減し、問題点を解決している。
【０００６】
胴部に、パイル面ファスナーと、鈎面ファスナーを縫合し、その面ファスナーを広く使用することで、３０ｃｍの移動が可能で、常人の胴周りなら系止自在に対応でき、その鈎ファスナーに着脱自在の引っ掛かり防止カバー布を設けることで、問題点を解決している。
【考案の効果】
【０００７】
本考案の簡易帯は、初心者でも介添え者を必要とせず、誰でも簡単、容易に太鼓結びを着こなせて、常人の胴周りなら系止自在で、長時間の着装でも窮屈感や着崩れの心配  もなく、美しい帯姿を保つことができる。
【図面の簡単な説明】
【０００８】
【図１】本考案により作り帯の完成例を示す正面図
【図２】本考案により作り帯の完成例を示す背面図
【図３】本考案の太鼓裏の二ヶ所の折りケジメと畳み方の実施例を示す展開図
【図４】本考案の糸止め箇所の実施例を示す太鼓裏展開図
【図５】前図の糸止めヵ所の実施例を示す表側展開図
【図６】本考案の糸止め箇所と畳み方の説明図
【図７】本考案の胴部を二つ折して、直角に畳んだ部分箇所の斜視説明図
【図８】本考案の折り畳んだ状態と糸止めの実施例を示す斜視背面図
【図９】本考案のパイル面ファスナーの縫い付け位置と手先を通す場所を示す図
【図１０】本考案の胴部本体から手先部となる胴部糸止め箇所と鈎面ファスナーカバ  ー布の取付場所を示す図
【考案を実施するための形態】
【０００９】
太鼓系の結び方なら袋帯、名古屋帯、袋名古屋帯、京袋帯など、様々な結び方に応用が可能であり、公知の技術に転用が可能である。
【実施例】
【００１０】
以下、添付図面に従って実施例を説明する。図１は、本考案の太鼓側から見た完成図であるが、すでに、そのまま着装者のキモノの胴体に巻きつけるだけでよい状態に形成されており、あとは帯揚げと帯枕を太鼓の中へ通せばよいので、着装者にほとんど説明がいらない。
【００１１】
図２は、太鼓裏から見た完成図であるが、着装者の胴体に巻きつけてパイル面ファスナー１５と、二ヶ所の鈎面ファスナー１６を系止させることで簡単に帯姿となる構造であり、その鈎面ファスナー１６が、帯地文様の装飾糸への引っ掛けを防止するために、着脱自在な鈎面ファスナーカバー布１７を縫い付けたものである。
【００１２】
図３からは、この発明の構成の説明であるが、太鼓柄の中心位置４は基本的に定位置にあり、垂れ３と太鼓中心４との大きさのバランスをとって、紋様の大きさの中心位置を決め、帯地の太鼓柄部分の中心部分４から２５ｃｍ程、胴部側寄り付近に斜めの二本の折りケジメ６と７をつけておく。なおこの折りケジメの平行した幅は１ｃｍ程度がちょうど良い。
【００１３】
図４は、帯地本体を裏返し、太鼓上部に折りケジメ６と７の折り目を、外折り、内折りし、それを左右とも、二本の折り目６と７の間を、折り目に添って１ｃｍ置きに三ヵ所を裏側から糸止め９する。これでその部分の帯の幅が狭くなり、瓢箪のようなくびれを生じさせる。これが太鼓結びの最上線のラインに丸みをつけ、柔らかで、且つ、自然なラインを形成するのである。
【００１４】
図５は、前図から太鼓中心部から１３ｃｍ程度の処を曲げるように、胴部全体を返し太鼓裏側１２ｃｍ辺り９にくびれの位置がくるように太鼓を形成する。その太鼓裏側の状態を示したもので、９の縫い止め三ヶ所の位置がくびれた部分である。
【００１５】
図６は、図５で糸止めした９の位置を覆い被せるように重ね折りする。即ち、つまむような折り方でその高さは３ｃｍ程度が良く、畳むように二重に重なった縫い上げ部を作るのである。
【００１６】
図7は、二重に重なった縫い上げ部を上側に畳み、更に糸止めし、帯本体１が太鼓部から胴部前帯に切り替わった状態の斜視図の説明である。胴部全体をを半分に折り、五角形のような形に折り込み、胴部前帯部の下線が太鼓底辺ライン１９より２ｃｍ上の位置にセットして、その位置がズレない様しっかり、五か所の糸止め１２をする。尚、胴部全体体の下線が太鼓底辺ライン１９より２ｃｍ上に合わすことは、帯を締めるコツと云われる大事な要所である。
【００１７】
図８は、太鼓部から胴部前帯面に切り替わって五角形９になっている太鼓裏側の折り畳んだ上部分の要所を位置糸止めした斜視図であるが、軟らかい板バネのようなクッションとしなやかな太鼓ラインを構築する核心の部分である。
【００１８】
図９は、手先部の端を太鼓の裏側から裏太鼓５と表太鼓４の間に通し、手先の寸法を測りながら、太鼓裏の胴部下帯面にパイル面ファスナー１５を、縦１０ｃｍ、横３０ｃｍ程の長さを縫い込む。これは着装者の胴周りサイズに、３０ｃｍ程の余裕幅を持たせることを目的としている。
【００１９】
図１０では、胴部下帯面を胴部前帯面と平行に合わせて糸止めし、その延長戦上の手先部となる直前に、図のように手先部の下部ラインと太鼓底辺ライン１９との位置ラインが重なるように２ｃｍ下げて折り畳み糸止めする。その反対側の折り返して二重になった胴部本体の端を糸止め１４して、鈎面ファスナー１６を縦１０ｃｍ横５ｃｍサイズを２箇所、図のように縫い込み、その鈎面ファスナーに起毛生地布で覆いカバー１７を縫い付けたものである。尚、太鼓部と胴部をしっかり繋ぎ止めるために、胴部の四隅１８を裏太鼓の帯にまで達するように糸止めしなければならない。
【符号の説明】
【００２０】
１Ａ  帯の胴部前帯面
１Ｂ  帯の胴部下帯面
２    太鼓上部
３    帯の垂れ部
４    太鼓文様の中心部
５    裏太鼓部
６    ハの字型、内折りケジメ
７    ハの字型、外折りケジメ
８    垂れの裏部
９    ハの字型、折り重ね部の糸止め
１０    糸止め箇所
１１    折り畳み部を糸止め
１２    裏太鼓まで接合の糸止め
１３    手先部
１４    手先の対側端部の糸止め
１５    パイル面ファスナー
１６    鈎面ファスナー
１７    鈎面ファスナーカバー布
１８    背面胴部糸止め
１９    太鼓底辺ライン
２０    胴部Ｂから手先となる際の折り下げ部
【図１】
0003156270.tif 000003
【図２】
0003156270.tif 000004
【図３】
0003156270.tif 000005
【図４】
0003156270.tif 000006
【図５】
0003156270.tif 000007
【図６】
0003156270.tif 000008
【図７】
0003156270.tif 000009
【図８】
0003156270.tif 000010
【図９】
0003156270.tif 000011
【図１０】
0003156270.tif 000012
【手続補正書】
【提出日】平成21年10月15日(2009.10.15)
【手続補正１】
【補正対象書類名】実用新案登録請求の範囲
【補正対象項目名】全文
【補正方法】変更
【補正の内容】
【実用新案登録請求の範囲】
【請求項１】
帯の太鼓裏側となる帯本体を、所定二か所の位置を折り畳んで、それを糸止めすることで、帯自体を切断することなく太鼓帯状態を形成し、帯の胴部の二ヶ所にパイル面ファスナーと、鈎面ファスナーを縫合し、系止自在に対応できることを特徴とする簡易帯。
【請求項２】
太鼓の底辺ラインの折り返し位置を、胴部本体より  ２ｃｍ下げて形成することにより、帯枕の装着による窮屈感を軽減させたことを特徴とする請求項１に記載の簡易帯。
【請求項３】
帯の胴部の二ヶ所に縫合した鈎面ファスナーに、着脱自在の引っ掛かり防止カバー布を設けたことを特徴とする請求項１に記載の簡易帯。